(57)【要約】【課題】型枠と目地棒との接合面の密着度を向上させ、コンクリートのノロが入り込むことを防止して目地の角部のコンクリート劣化などの発生を防ぐことのできる鉄筋コンクリート造建築物の壁の目地棒を得る。【解決手段】型枠合板４に設置する目地棒１において、目地棒１の本体２の、型枠合板４との接合側に密着性を向上させるための接合突起１２ａ、１２ａを設けた。【選択図】        図１
2010168811.tif 000002
【特許請求の範囲】
【請求項１】
型枠合板に設置する目地棒において、目地棒本体の、型枠合板との接合側に接合突起を設けたことを特徴とする鉄筋コンクリート造建築物の壁の目地棒。
【請求項２】
前記接合突起は、軟質部材で形成される請求項１記載の鉄筋コンクリート造建築物の壁の目地棒。
【請求項３】
前記目地棒本体にはノッチ形成用の突起が一体に形成される請求項１記載の鉄筋コンクリート造建築物の壁の目地棒。
【発明の詳細な説明】
【技術分野】
【０００１】
本発明は、鉄筋コンクリート造建築物の壁の目地棒に関するものである。
【背景技術】
【０００２】
目地棒は、コンクリート、モルタル構造物の目地形成にしようとするもので、近年、断面台形の発泡合成樹脂製のものと、内部が中空の硬質合成樹脂製のものとが広く実用化され、型枠パネルに上底部から釘打ちなどにより固定して使用するものである。
【０００３】
一方、鉄筋鉄骨コンクリート造、鉄筋コンクリート造などの鉄筋コンクリート造建築物の外壁などでは、コンクリートの乾燥収縮により亀裂が発生し、躯体強度の低下を招くおそれがある。そこで、任意の多数箇所に亀裂が発生することを防止するため、コンクリート躯体の所定箇所に予め亀裂誘発部（ノッチや台形目地）を施しておき、この箇所に応力を集中させてひび割れを積極的に起こし、他の箇所に亀裂が発生しないようにしている。
【０００４】
下記特許文献１はその一例を示し、型枠合板に設置する目地棒として、下底部を型枠合板への接合面とした断面かまぼこ形状の目地棒において、ノッチ形成用の尖頭突起を形成したものである。
【特許文献１】特開２００８−０３８５５１号公報
【発明の開示】
【発明が解決しようとする課題】
【０００５】
前記特開２００８−０３８５５１号に記載の目地棒は、型枠と接する部分が下底部の全面であり、目地棒の下底部と型枠とは面接触する。そのため、型枠と目地棒の間の密着性が低く、コンクリートのノロがこの間に毛細管現象により入り込んでしまい、その後の施工性が悪くなったり、形成された目地の角部のコンクリートが劣化してしまうなどの不具合が発生していた。
【０００６】
本発明は前記従来例の不都合を解消するものとして、型枠と目地棒との接合面の密着度を向上させ、コンクリートのノロが入り込むことを防止して目地の角部のコンクリート劣化などの発生を防ぐことのできる鉄筋コンクリート造建築物の壁の目地棒を提供するものである。
【課題を解決するための手段】
【０００７】
請求項１記載の本発明は、型枠合板に設置する目地棒において、目地棒本体の、型枠合板との接合側に接合突起を設けたことを要旨とするものである。
【０００８】
請求項１記載の本発明によれば、目地棒本体と型枠合板との接合箇所には、接合突起が介在するから、この接合突起により目地棒と型枠合板との密着性が良好になり、目地棒と型枠合板との間にコンクリートノロが入りにくくなる。
【０００９】
請求項２記載の本発明は、前記接合突起は、軟質部材で形成されることを要旨とするものである。
【００１０】
請求項２記載の本発明によれば、接合突起を軟質部材で形成することにより、型枠合板への密着性をさらに向上できる。
【００１１】
請求項３記載の本発明は、前記目地棒本体にはノッチ形成用の突起が一体に形成されることを要旨とするものである。
【００１２】
請求項３記載の本発明によれば、ノッチ形成用の突起を目地棒本体と一体に形成することにより、目地棒の中にコンクリートノロが入り込むことがない。
【発明の効果】
【００１３】
以上述べたように本発明の鉄筋コンクリート造構造物の壁の目地棒は、目地棒の型枠との接合部に接合突起を設けたから、目地棒と型枠との間にコンクリートノロが入り込みにくくなり、型枠と目地棒との接合面の密着度を向上させることができ、目地の角部のコンクリート劣化などの発生を防ぐことのできるものである。
【発明を実施するための最良の形態】
【００１４】
以下、図面について本発明の実施形態を詳細に説明する。図１は本発明の鉄筋コンクリート造建築物の壁の目地棒の実施形態を示す設置状態の横断平面図、図２は同上目地棒の斜視図で、図中１は本発明の目地棒、４は型枠合板、５は型枠合板４により形成する鉄筋コンクリート造建築物の壁である。
【００１５】
このような型枠合板４に設置する目地棒１として、本体２を中空の断面台形形状に形成し、図２において下部の上辺７の一方の角部からノッチ形成用の突起３を一体に突設した。
【００１６】
目地棒１は、材質として例えば発泡合成樹脂、硬質合成樹脂などの合成樹脂製、またはゴム製とし、合成樹脂製の場合は押出し成形などにより一体に形成する。
【００１７】
本体２は、底辺６を上辺７よりも長く形成し、底辺６と上辺７とをつなぐ左右の辺、例えば右辺８を底辺６と上辺７に対して直角に位置付けし、左辺９を上辺７から底辺６に向けて外側に広がるテーパー面に形成する。
【００１８】
これにより前記ノッチ形成用の突起３は右辺８からその延長上で突出することになる。
【００１９】
上辺７と左辺９との角部はアールに形成して円弧上の面取り部１０に形成することによって該角部に応力集中によるひび割れ発生を防止することができる。
【００２０】
底辺６と上辺７とには対向位置に釘打ち孔１１ａ、１１ｂをそれぞれ設ける。
【００２１】
底辺６の両側の角部と、突起３の先端部に例えば軟質塩化ビニルなどの軟らかい材料を使用する突起１２ａ、１２ｂをそれぞれ設ける。底辺６の両側の角部に設けた突起１２ａ、１２ａは底辺６よりも外側に突出し、図１に示すように合板型枠４との接合部となる。
【００２２】
次にかかる目地棒１を使用して鉄筋コンクリート造建築物の壁５のコンクリートに目地を形成する方法を説明する。目地棒１の本体２の底辺６の側を型枠合板４に当て、釘１３を釘打ち孔１１ａ、１１ｂに打ち込んで目地棒１を型枠合板４に固定する。
【００２３】
この場合、目地棒１の型枠合板４への固定は、前記のように目地棒１に釘打ち孔１１ａ、１１ｂを設けて釘打ちにより行うから、型枠合板４のパネル割りとは別に目地位置を自由に決定できる。
【００２４】
目地棒１が型枠合板４に固定された状態では、底辺６に設けた突起１２ａ、１２ａが線接触状態で型枠合板４に接合し、目地棒１は型枠合板４に対して良好に密着する。
【００２５】
以上のようにして本発明の目地棒１を型枠合板４に設置し、コンクリートを打設して鉄筋コンクリート造建築物の壁５を形成するとき、底辺６に設けた突起１２ａ、１２ｂが型枠合板４に密着するから、目地棒１と型枠合板４との間にコンクリートノロが入り込みにくくなり、目地角部のコンクリートが劣化することを防げる。
【００２６】
また、ノッチ形成用の突起３と台形の本体２とを一体に形成してあるから、目地棒１の中空内部にコンクリートノロが入り込むことがなく、コンクリートの劣化のおそれがない。
【００２７】
コンクリートの硬化後、型枠合板４とともに目地棒１を取り除く。このとき、本体２の角部で、ノッチ形成用の突起３を設けていない側の角部には面取り部１０が形成してあるから、目地棒１をコンクリート躯体から抜きやすくなる。そして、目地棒１の再使用が可能となる。
【００２８】
このようにして壁５から目地棒１を取り除いた形成された目地１４は、図３に示すように本体２の外形形状の台形となり、先端に突起３によるノッチ１５が形成され、ひび割れはこのノッチ１５の部分に集中する。
【００２９】
目地１４にはシール材１６を充填することができる。
【図面の簡単な説明】
【００３０】
【図１】本発明の鉄筋コンクリート造建築物の壁の目地棒の実施形態を示す設置状態の横断平面図である。
【図２】本発明の鉄筋コンクリート造建築物の壁の目地棒の実施形態を示す斜視図である。
【図３】本発明の鉄筋コンクリート造建築物の壁の目地棒の実施形態を示す目地棒を撤去した状態の目地の横断平面図である。
【符号の説明】
【００３１】
１  目地棒                      ２  本体
３  突起                        ４  型枠合板
５  壁                          ６  底辺
７  上辺                        ８  右辺
９  左辺                        １０  面取り部
１１ａ、１１ｂ  釘打ち孔        １２ａ、１２ｂ  突起
１３  釘                        １４  目地
１５  ノッチ                    １６  シール材
【図１】
2010168811.tif 000003
【図２】
2010168811.tif 000004
【図３】
2010168811.tif 000005